(57)【要約】【課題】ＨＤＤ内蔵型電子機器において、ＨＤＤがその温度スペックを超えた高温環境化に晒される可能性を低減できる技術を提供する。【解決手段】ＨＤＤ内蔵型電子機器１は、機器本体を作動状態とする電源オンと、機器本体の作動を停止状態とする電源オフとの切り替えを可能とする電源スイッチ１８と、ＨＤＤを冷却可能な冷却装置１６と、前記電源オン状態となるように前記電源スイッチが操作された場合であってＨＤＤ１５の温度が所定の閾値以上となる異常状態であると判断される場合に、ＨＤＤ１５の起動処理を一旦保留しつつ冷却装置１６を駆動状態とする制御部１０と、を備える。【選択図】図７
2014157448.tif 000002
【特許請求の範囲】
【請求項１】
ＨＤＤ（Hard Disk Drive）が内蔵されるＨＤＤ内蔵型電子機器であって、
機器本体を作動状態とする電源オンと、機器本体の作動を停止状態とする電源オフとの切り替えを可能とする電源スイッチと、
前記ＨＤＤを冷却可能な冷却装置と、
前記電源オン状態となるように前記電源スイッチが操作された場合であって前記ＨＤＤの温度が所定の閾値以上となる異常状態であると判断される場合に、前記ＨＤＤの起動処理を一旦保留しつつ前記冷却装置を駆動状態とする制御部と、
を備えることを特徴とするＨＤＤ内蔵型電子機器。
【請求項２】
前記制御部は、前記ＨＤＤの起動処理を一旦保留しつつ前記冷却装置を駆動状態にしてから所定期間経過後に、起動処理を一旦保留した前記ＨＤＤの起動処理を行うことを特徴とする請求項１に記載のＨＤＤ内蔵型電子機器。
【請求項３】
前記ＨＤＤの周辺温度を検出する温度検出部を備え、
前記制御部は、前記温度検出部の検出結果に基づいて、起動処理を一旦保留した前記ＨＤＤの起動処理を行うことを特徴とする請求項１に記載のＨＤＤ内蔵型電子機器。
【請求項４】
前記冷却装置は冷却ファンであって、
前記ＨＤＤが起動されていない状態で前記冷却ファンが駆動される場合、前記冷却ファンの回転数は、通常動作時に比べて高速とされることを特徴とする請求項１から３のいずれかに記載のＨＤＤ内蔵型電子機器。
【請求項５】
前記制御部は、前記ＨＤＤの起動処理を一旦保留した場合に、当該保留を報知するための処理を行うことを特徴とする請求項１から４のいずれかに記載のＨＤＤ内蔵型電子機器。
【請求項６】
前記制御部は、前記ＨＤＤの起動後に前記ＨＤＤの温度異常が検知されると、前記電源オフ状態となるように電源オフ処理を行うことを特徴とする請求項１から５のいずれかに記載のＨＤＤ内蔵型電子機器。
【請求項７】
前記制御部は、起動処理を一旦保留した前記ＨＤＤの起動処理を行った場合には、前記ＨＤＤの温度異常の判断レベルを低下させて前記温度異常の検出を行うことを特徴とする請求項６に記載のＨＤＤ内蔵型電子機器。
【請求項８】
前記電源オフ状態には、一部に電力が供給される待機状態が含まれ、
前記制御部は、前記電源オフ処理を行う場合に、前記電源オフ処理後においても前記冷却装置が駆動するように処理を行うことを特徴とする請求項６又は７に記載のＨＤＤ内蔵型電子機器。
【請求項９】
前記制御部は、前記ＨＤＤの起動処理を一旦保留しつつ前記冷却装置を駆動状態にしてから所定期間経過後に、起動処理を一旦保留した前記ＨＤＤの起動処理を行い、
前記所定期間は、前記電源オフ処理が行われてから前記電源オン状態となるように前記電源スイッチが操作されるまでの時間によって変動することを特徴とする請求項６から８のいずれかに記載のＨＤＤ内蔵型電子機器。
【請求項１０】
ＨＤＤ（Hard Disk Drive）が内蔵されるＨＤＤ内蔵型電子機器において実行されるＨＤＤ保護方法であって、
前記ＨＤＤの起動後に前記ＨＤＤの温度異常が検知された場合に、機器本体の作動を停止状態とする電源オフ処理を行うステップと、
前記電源オフ処理後に、機器本体を作動状態とするように電源スイッチが操作された場合であって前記ＨＤＤの温度が所定の閾値以上となる異常状態であると判断される場合に、前記ＨＤＤの起動処理を一旦保留しつつ前記ＨＤＤを冷却するための冷却装置を駆動状態とするステップと、
前記ＨＤＤにおける前記異常状態が解消されたと判断される場合に、一旦起動処理を保留した前記ＨＤＤの起動処理を行うステップと、
を備えるＨＤＤ保護方法。
【発明の詳細な説明】
【技術分野】
【０００１】
本発明は、ＨＤＤ（Hard Disk Drive；ハードディスクドライブ）内蔵型電子機器、及び、そのような電子機器におけるＨＤＤ保護方法に関する。
【背景技術】
【０００２】
従来、機器内部に存在する発熱部を冷却するための冷却ファンを備える電子機器が知られている。ＨＤＤが内蔵される電子機器（ＨＤＤ内蔵型電子機器）においては、ＨＤＤが発熱部の中に含まれることになる。冷却ファンを備えるＨＤＤ内蔵型電子機器の例として、光ディスクレコーダー、テレビジョン受像機、パーソナルコンピューター等が挙げられる。このような電子機器の中には、機器の電源オンとともに冷却ファンを常時回転させるタイプのものもあれば、機器が電源オンされると、温度や時間に基づいて冷却ファンの回転を制御するタイプのものある（例えば特許文献１参照）。
【先行技術文献】
【特許文献】
【０００３】
【特許文献１】特許第３８３５４１４号公報
【発明の概要】
【発明が解決しようとする課題】
【０００４】
ところで、ＨＤＤ内蔵型電子機器の中には、ＨＤＤにおける温度異常が検知された場合に、自動的に当該電子機器の電源がオフされるものがある。このような自動オフ機能によって、ＨＤＤがその温度スペックを超えた高温環境下に晒されてしまうことを抑制でき、ＨＤＤの破損を防止できる。
【０００５】
しかしながら、自動オフ機能が作動して機器の電源がオフされてから、ＨＤＤの温度が十分に下がるまでには、ある程度の時間が必要とされる。このために、自動オフ機能が作動した後に、ＨＤＤの温度が十分に下がっていないにもかかわらず、ユーザーが当該機器の電源をオンしてしまうことが生じ得る。そして、このような電源オンが行われると、ＨＤＤが再び温度スペックを超えた高温環境下に晒されてしまう危険性がある。また、自動オフ機能が繰り返されることによって、ユーザーは当該電子機器が故障したものと誤認する可能性もある。
【０００６】
以上の点に鑑みて、本発明の目的は、ＨＤＤ内蔵型電子機器において、ＨＤＤがその温度スペックを超えた高温環境化に晒される可能性を低減できる技術を提供することである。
【課題を解決するための手段】
【０００７】
上記目的を達成するために本発明のＨＤＤ内蔵型電子機器は、機器本体を作動状態とする電源オンと、機器本体の作動を停止状態とする電源オフとの切り替えを可能とする電源スイッチと、前記ＨＤＤを冷却可能な冷却装置と、前記電源オン状態となるように前記電源スイッチが操作された場合であって前記ＨＤＤの温度が所定の閾値以上となる異常状態であると判断される場合に、前記ＨＤＤの起動処理を一旦保留しつつ前記冷却装置を駆動状態とする制御部と、を備える構成（第１の構成）になっている。なお、電源オフ状態には、一部に電力が供給される待機状態が含まれてもよい。
【０００８】
本構成によれば、ＨＤＤ起動処理が行われる前に当該起動の適否が判断（ＨＤＤの温度状態を考慮した判断）され、不適切と判断される場合には、ＨＤＤの起動処理が一旦保留されて、ＨＤＤが冷却装置によって冷却される構成になっている。このために、ＨＤＤが、その温度スペックを超える高温環境下に晒される危険性を低減できる。
【０００９】
上記第１の構成のＨＤＤ内蔵型電子機器において、前記制御部は、前記ＨＤＤの起動処理を一旦保留しつつ前記冷却装置を駆動状態にしてから所定期間経過後に、起動処理を一旦保留した前記ＨＤＤの起動処理を行う構成（第２の構成）であってよい。本構成によれば、例えば温度センサ等の追加部品を導入することなく、ＨＤＤの起動が不適切な状態（ＨＤＤ温度の異常状態）が解消されたか否かの判断を行う構成であり、コスト面等で有利である。
【００１０】
上記第１の構成のＨＤＤ内蔵型電子機器において、前記ＨＤＤの周辺温度を検出する温度検出部を備え、前記制御部は、前記温度検出部の検出結果に基づいて、起動処理を一旦保留した前記ＨＤＤの起動処理を行う構成（第３の構成）であってよい。本構成によれば、ＨＤＤ周辺の温度を観測しながら、ＨＤＤ（起動を一旦保留されたＨＤＤ）の起動処理が行われるタイミングが決定されるために、ＨＤＤが高温環境下に晒される危険性を抑制し易い。
【００１１】
上記第１から第３のいずれかの構成のＨＤＤ内蔵型電子機器において、前記冷却装置は冷却ファンであって、前記ＨＤＤが起動されていない状態で前記冷却ファンが駆動される場合、前記冷却ファンの回転数は、通常動作時に比べて高速とされる構成（第４の構成）であってよい。本構成によれば、ＨＤＤの冷却を短時間化することが可能であり、ユーザーにストレスを与え難い構成を提供できる。
【００１２】
上記第１から第４のいずれかの構成のＨＤＤ内蔵型電子機器において、前記制御部は、前記ＨＤＤの起動処理を一旦保留した場合に、当該保留を報知するための処理を行う構成（第５の構成）であるのが好ましい。本構成によれば、ユーザーが電子機器の状態を把握し易い。このために、例えば機器が故障したと、ユーザーが誤認する可能性を低減できる。
【００１３】
上記第１から第５のいずれかの構成のＨＤＤ内蔵型電子機器において、前記制御部は、前記ＨＤＤの起動後に前記ＨＤＤの温度異常が検知されると、前記電源オフ状態となるように電源オフ処理を行う構成（第６の構成）であるのが好ましい。本構成によれば、ＨＤＤが起動された後に、ＨＤＤがその温度スペックを超える高温環境下に晒される危険性を低減でき、ＨＤＤを保護する機能を強化できる。
【００１４】
上記第６の構成のＨＤＤ内蔵型電子機器において、前記制御部は、起動処理を一旦保留した前記ＨＤＤの起動処理を行った場合には、前記ＨＤＤの温度異常の判断レベルを低下させて前記温度異常の検出を行う構成（第７の構成）であってよい。本構成によれば、ＨＤＤがその温度スペックを超える高温環境下に晒される危険性を更に低減できる。なお、前記温度異常の判断レベルの低下は、所定期間だけ実施し、その後は通常レベルで前記温度異常の判断を行うのが好ましい。
【００１５】
上記第６又は第７の構成のＨＤＤ内蔵型電子機器において、前記電源オフ状態には、一部に電力が供給される待機状態が含まれ、前記制御部は、前記電源オフ処理を行う場合に、前記電源オフ処理後においても前記冷却装置が駆動するように処理を行う構成（第８の構成）であってもよい。本構成によれば、電子機器本体が電源オフ状態（待機状態）である場合においてもＨＤＤが冷却される構成であるために、次に電源オン状態とされるまでの間に、効率良くＨＤＤの冷却を行える。なお、本構成においては、冷却装置の駆動は、電源オフ処理後から所定期間経過した時点で自動停止されるのが好ましい。
【００１６】
上記第６から第８のいずれかの構成のＨＤＤ内蔵型電子機器において、前記制御部は、前記ＨＤＤの起動処理を一旦保留しつつ前記冷却装置を駆動状態にしてから所定期間経過後に、起動処理を一旦保留した前記ＨＤＤの起動処理を行い、前記所定期間は、前記電源オフ処理が行われてから前記電源オン状態となるように前記電源スイッチが操作されるまでの時間によって変動する構成（第９の構成）であってよい。本構成によれば、ＨＤＤの起動が保留される時間を適宜短くすることが可能であり、ユーザーにストレスを与え難い構成を提供できる。
【００１７】
上記目的を達成するために本発明は、ＨＤＤが内蔵されるＨＤＤ内蔵型電子機器において実行されるＨＤＤ保護方法であって、前記ＨＤＤの起動後に前記ＨＤＤの温度異常が検知された場合に、機器本体の作動を停止状態とする電源オフ処理を行うステップと、前記電源オフ処理後に、機器本体を作動状態とするように電源スイッチが操作された場合であって前記ＨＤＤの温度が所定の閾値以上となる異常状態であると判断される場合に、前記ＨＤＤの起動処理を一旦保留しつつ前記ＨＤＤを冷却するための冷却装置を駆動状態とするステップと、前記ＨＤＤにおける前記異常状態が解消されたと判断される場合に、一旦起動処理を保留した前記ＨＤＤの起動処理を行うステップと、を備える構成（第１０の構成）になっている。なお、電源オフ処理には機器本体を待機状態とすることが含まれてもよい。
【００１８】
本構成によれば、ＨＤＤの温度異常が検知された場合に、機器本体が自動的に電源オフ状態にされるので、ＨＤＤがその温度スペックを超える高温環境下に晒される可能性を低減できる。また、機器本体の電源が自動オフ状態とされた後すぐに、ユーザーが機器本体の電源をオン状態とした場合でも、ＨＤＤの起動が一旦保留されて冷却装置が駆動される。そして、ＨＤＤは、それ自体（その周辺も）が十分に冷却された状態で起動処理されることになる。この点からも、ＨＤＤが、その温度スペックを超えた高温環境下に晒される可能性が抑制される。
【発明の効果】
【００１９】
本発明によれば、ＨＤＤ内蔵型電子機器において、ＨＤＤがその温度スペックを超えた高温環境化に晒される可能性を低減できる技術を提供できる。このため、本発明によれば、温度異常によるＨＤＤの破損を低減でき、ユーザーは安心してＨＤＤを利用できる。
【図面の簡単な説明】
【００２０】
【図１】本発明のＨＤＤ内蔵型電子機器の一実施形態であるＨＤＤ内蔵型光ディスクレコーダーの構成例を示すブロック図
【図２】本発明の実施形態に係るＨＤＤ内蔵型光ディスクレコーダーにおいて実行される、第１実施形態のＨＤＤ保護フローを示すフローチャート
【図３】第１実施形態のＨＤＤ保護フローの第１変形例を示すフローチャート
【図４】第１実施形態のＨＤＤ保護フローの第２変形例を示すフローチャート
【図５】第１実施形態のＨＤＤ保護フローの第３変形例を示すフローチャート
【図６】本発明の実施形態に係るＨＤＤ内蔵型光ディスクレコーダーにおいて実行される、第２実施形態のＨＤＤ保護フローを示すフローチャート
【図７】本発明の実施形態に係るＨＤＤ内蔵型光ディスクレコーダーにおいて実行される、第３実施形態のＨＤＤ保護フローを示すフローチャート
【発明を実施するための形態】
【００２１】
以下、本発明のＨＤＤ内蔵型電子機器、及び、ＨＤＤ保護方法の実施形態について図面を参照しながら詳細に説明する。
【００２２】
＜ＨＤＤ内蔵型電子機器の概略構成＞
図１は、本発明のＨＤＤ内蔵型電子機器の一実施形態であるＨＤＤ内蔵型光ディスクレコーダー１の構成例を示すブロック図である。なお、ＨＤＤ内蔵型光ディスクレコーダー１が対応する光ディスクの種類は特に限定されるものではない。当該レコーダー１は、例えばＢＤ（Blu-ray(登録商標) Disk）及びＤＶＤ（Digital Versatile Disk）に対応するものであってよい。
【００２３】
図１に示すように、ＨＤＤ内蔵型光ディスクレコーダー１（以下、単にレコーダー１と表現する場合がある）は、制御部１０と、メモリー部１１と、チューナー１２と、信号処理部１３と、光ディスクドライブ１４と、ＨＤＤ１５と、冷却ファン１６と、電源部１７と、電源スイッチ１８と、を備えている。なお、図１に破線枠で示すＨＤＤ周辺温度検出部１９は、後述の内容からわかるように必須のものではない。
【００２４】
制御部１０は、レコーダー１が備える各部の制御処理を実行する。また、制御部１０は、後述するように、各部を制御してＨＤＤ１５を保護するための保護処理を行う。なお、制御部１０は、本発明の制御部の一例である。メモリー部１１は、レコーダー１において実行される各種の動作用のプログラムが格納されるＲＯＭ（Read Only Memory）と、動作時において種々のデータの一時保存やワークエリアとして使用されるＲＡＭ（Random Access Memory）と、を含む。
【００２５】
チューナー１２は、テレビ番組等の放送信号を受信するアンテナ２（外部機器）に接続される。チューナー１２は、アンテナ２で受信した放送信号の中から、制御部１０の指示に対応した受信チャンネルを選局する。信号処理部１３は、チューナー１２から入力される信号に対して各種の処理を行う。信号処理部１３で処理された信号は、外部に設けられる表示装置３（例えば液晶テレビ等）に出力されたり、レコーダー１内に設けられる光ディスクドライブ１４や制御部１０に出力されたりする。
【００２６】
光ディスクドライブ１４は、信号処理部１３から入力されたデータ（テレビ番組情報等）を光ディスク（ＢＤ等）に記録したり、光ディスクに記録されているデータを読み取って信号処理部１３に出力したりする。すなわち、信号処理部１３は、光ディスクドライブ１４から出力される信号の信号処理も行い、処理された信号は表示装置３に出力される。なお、信号処理部１３には、ＯＳＤ（On Screen Display）回路が含まれている。これにより、制御部１０からの指示にしたがって、表示装置３の表示画面にメニュー画面や報知画面等の表示（ＯＳＤ表示）が行える。
【００２７】
ＨＤＤ１５は、制御部１０の制御の下、信号処理部１３における処理によって得られた番組情報等のデータを記憶する記憶装置として機能する。また、ＨＤＤ１５に記憶されるデータは、制御部１０の制御の下、読み出されて信号処理部１３に出力される。信号処理部１３は、入力されたデータを処理して表示装置３や光ディスクドライブ１４に出力する。
【００２８】
ＨＤＤ１５は、その障害の早期発見・故障の予測を目的としてスマート（S.M.A.R.T；Self-Monitoring Analysis and Reporting Technology）と呼ばれる自己診断機能を備えている。この自己診断機能により、ＨＤＤ１５では、複数の項目の観測が行われている。この観測項目（スマート値）の中には、ＨＤＤ１５の内部に備えられる温度センサ（例えばサーミスタ等）で測定される温度が含まれる。
【００２９】
冷却ファン１６は、ＨＤＤ１５を含む、レコーダー１内の発熱部を冷却するために設けられている。なお、冷却ファン１６は、本発明の冷却装置の一例である。電源部１７は、商用電源（例えばＡＣ１００Ｖ電源）と電気的に接続されることによって、各部を駆動するために必要な駆動電圧を生成する。電源部１７には、制御マイコンが含まれ、この制御マイコンは冷却ファン１６の動作制御も行う。
【００３０】
電源スイッチ１８は、レコーダー１（機器本体）を作動状態とする電源オンと、レコーダー１の作動を停止状態とする電源オフとの切り替えを、ユーザーが行えるように設けられている。電源スイッチ１８が電源オン状態とされることによって、電源部１７が作動して各部への電力供給が行われる。また、電源スイッチ１８が電源オフ状態とされることによって、電源部１７の動作が停止されて各部への電力供給が停止される。電源スイッチ１８は、本発明の電源スイッチの一例である。
【００３１】
なお、機器の使用を円滑にする等の目的のために、電源スイッチ１８がオフされた場合においても、一部に電力が供給される（待機状態となる）ように電源部１７が構成されてもよい。このように構成される場合には、前述の電源オフ状態には待機状態が含まれることになる。また、電源スイッチ１８は、レコーダー１の本体部分に設けられる構成でもよいし、リモコン（不図示）に設けられる構成でもよい。勿論、レコーダー１の本体部分とリモコンとの両方に設けられる構成であってもよい。
【００３２】
＜ＨＤＤ保護機能の第１実施形態＞
以上のように構成されるレコーダー１は、ＨＤＤ１５が温度スペックを超えた高温環境下晒されないように、ＨＤＤ保護機能を備えている。以下、このＨＤＤ保護機能の第１実施形態について説明する。
【００３３】
図２は、本発明の実施形態に係るＨＤＤ内蔵型光ディスクレコーダー１において実行される、第１実施形態のＨＤＤ保護フローを示すフローチャートである。ユーザーによって電源スイッチ１８が操作されて電源オン状態とされると、制御部１０はスマート値の通常監視を開始する（ステップＳ１）。このスマート値は、ＨＤＤ１５内部でモニタリングされるものであり、スマート値の中にＨＤＤ１５における温度が含まれる。制御部１０は、ＨＤＤ１５からスマート値を取得して、その値の監視を行う。
【００３４】
通常監視であるために、制御部１０は、ＨＤＤ１５から取得した温度について、３回連続して規定値（予め定められた閾値；例えば７０℃等）以上になったか否かを確認する（ステップＳ２）。規定値以上が３回連続すると（ステップＳ２でＹｅｓ）、制御部１０はＨＤＤ１５の温度異常を検知する（ステップＳ３）。すなわち、制御部１０は、ＨＤＤ１５の温度異常検知手段として機能する。なお、ここでは、ＨＤＤ１５の温度異常を正確に検知するために、取得される温度が規定値以上となる回数が３回連続することで温度異常を検知する構成になっているが、この回数は適宜変更されて構わない。
【００３５】
制御部１０は、ＨＤＤ１５の温度異常を検知すると、電源部１７を制御して、電源オン状態から電源オフ状態になるように処理（電源オフ処理）を行う（ステップＳ４）。この際、ＨＤＤ１５も停止状態となる。これにより、レコーダー１の本体内部における発熱が抑制されるために、ＨＤＤ１５がその温度スペックを超えた高温環境下に晒される可能性を抑制できる。
【００３６】
レコーダー１の電源が自動オフされた後に、ユーザーが電源スイッチ１８を操作して再びレコーダー１が電源オン状態にされる（ステップＳ５）と、制御部１０は、ＨＤＤ１５の起動が適切であるか否かを判断する（ステップＳ６）。なお、当該判断は、ＨＤＤ１５の温度状態の観点からの判断である。
【００３７】
当該判断は、例えば、ステップＳ４における自動オフからステップＳ５における手動オンまでの経過時間に基づいて行われてもよい。自動オフから手動オンまでの時間が十分に経過すれば、ＨＤＤ１５（ＨＤＤ１５の周辺も）は十分に冷却される。一方、自動オフから手動オンまでの時間が短時間であれば、ＨＤＤ１５（ＨＤＤ１５の周辺も）はまだ高温であり、ＨＤＤ１５が不適切な高温環境下に晒される危険性がある。このために、予め実験等によって、温度異常が検知されてからＨＤＤ１５を起動しても問題ない温度状態となるまでの時間を求めておき、当該時間を基準にＨＤＤ１５の起動が適切か否かを判断する構成が採用されてもよい。
【００３８】
また、ステップＳ６における判断は、ＨＤＤ１５周辺の温度を測定できるＨＤＤ周辺温度検出部１９（例えばサーミスタ等；図１参照）が設けられることを条件として、当該温度検出部１９から得られる温度情報に基づいて行われてもよい。この場合、予め実験等によって、当該温度検出部１９で検出される温度が何℃である場合にＨＤＤ１５を起動しても問題ないかを調査し、例えば前記調査で得られた温度の上限値等を基準にＨＤＤ１５の起動が適切か否かを判断する構成が採用されてもよい。
【００３９】
ＨＤＤ１５の起動が適切であると判断される場合（ステップＳ６でＹｅｓ）、制御部１０はＨＤＤ１５の起動処理を行う（ステップＳ７）。この際、冷却ファン１６が同時に駆動されるようにしてもよいし、場合によっては、同時に駆動されることなく、後に適宜駆動されるようにしてもよい。
【００４０】
ＨＤＤ１５が起動されると、制御部１０はＨＤＤ１５の保護処理を終了するか否かを確認する（ステップＳ８）。例えば電源スイッチ１８の操作によってユーザーから電源オフ指令が出されると（ステップＳ８でＹｅｓに該当）、ＨＤＤ１５の保護処理は終了される。ＨＤＤ１５の保護処理を継続する場合（ステップＳ８でＮｏ）、ステップＳ１に戻る。
【００４１】
一方、ＨＤＤ１５の起動が不適切であると判断される場合（ステップＳ６でＮｏ）、制御部１０はＨＤＤ１５の起動を一旦保留する（ステップＳ９）。そして、制御部１０は、冷却ファン１６の駆動を開始させる（ステップＳ１０）。これにより、ＨＤＤ１５（その周辺も）の温度が十分冷却されることが期待できる。
【００４２】
なお、この際の冷却ファン１６の回転数は、通常動作時（ＨＤＤ１５が起動されている場合）に比べて一時的に高速とされてもよい。例えば、冷却ファン１６を駆動するモータに印加する駆動電圧を切り替える回路（例えば通常７Ｖを１０Ｖに切り替える回路等）が設けられるようにし、電源部１７に含まれる制御マイコンからの制御信号によって当該切り替えが行われるようにしてもよい。このように冷却ファン１６が一時的に高速回転されることによって、ＨＤＤ１５の冷却スピードを促進することができる。また、通常時においては、冷却ファン１６の回転数が必要以上に高速となることを避けることによって、例えば騒音の低下や消費電力の低減が期待できる。
【００４３】
冷却ファン１６の駆動が開始されると、制御部１０は、ＨＤＤ１５の起動を一旦保留しつつ冷却ファン１６が駆動を開始してから、所定期間が経過したか否かを監視する（ステップＳ１１）。この所定期間は、ＨＤＤ１５（その周辺も）が十分冷却される（温度の低下が飽和した状態になる）のに要する時間であればよく、実験等に基づいて決められればよい。例えば、当該所定期間は、ＨＤＤ１５の温度異常を検知してから冷却ファン１６を駆動させ、どの程度でＨＤＤ１５が十分に冷却されるかを観測し、その観測結果に基づいて決定されればよい。なお、この所定期間は、例えばレコーダー１の電源自動オフから電源手動オンまでの時間の違いによって、適宜変動される構成であっても構わない。
【００４４】
所定期間が経過したと判断（ＨＤＤ１５の起動が不適切な状態が解消された判断）すると（ステップＳ１１でＹｅｓ）、制御部１０は、一旦起動を保留していたＨＤＤ１５の起動処理を行う（ステップＳ７）。その後の処理（ステップＳ８からの処理）は、上述の通りである。なお、ステップＳ２でＮｏの場合、その時点では、ＨＤＤ１５の保護を行うための特別な処理は必要ないので、ステップＳ８に進む。
【００４５】
第１実施形態におけるＨＤＤ１５の保護処理によれば、ＨＤＤ１５の温度異常が検知された時点で、レコーダー１本体の電源が自動的にオフ状態にされるので、ＨＤＤ１５がその温度スペックを超える高温環境下に晒される可能性を低減できる。そして、レコーダー１の電源が自動オフされた後すぐに、ユーザーがレコーダー１の電源をオン状態とした場合でも、ＨＤＤ１５の起動が一旦保留されて冷却ファン１６が駆動されることになる。このために、ＨＤＤ１５の起動処理は、ＨＤＤ１５（その周辺も）が十分に冷却された状態で行うことができる。すなわち、この点からも、ＨＤＤ１５が、その温度スペックを超えた高温環境下に晒される可能性が抑制される。
【００４６】
（第１変形例）
図３は、第１実施形態のＨＤＤ保護フローの第１変形例を示すフローチャートである。第１変形例のフローチャートは、図２に示す第１実施形態のフローチャートと概ね同様であるが、ステップＳ１１´の部分だけ第１実施形態（のステップＳ１１）の構成と異なる。以下、この異なる部分についてのみ説明する。
【００４７】
第１変形例では、ＨＤＤ１５の起動が不適切な状態（温度の観点から不適切な状態）が解消されたか否かを、時間ではなく、温度で判断する構成になっている。この構成を実現するためには、ＨＤＤ１５の周辺の温度を測定できるＨＤＤ周辺温度検出部１９（図１参照）が必要になる。この場合、予め実験等によって、当該温度検出部１９で検出される温度が何℃である場合にＨＤＤ１５を起動しても問題ないかを調査し、当該調査結果に基づいて、図３に示す所定温度（ステップＳ１１´）が決定されればよい。本変形例によれば、一旦起動が保留されたＨＤＤ１５の起動処理のタイミングをより正しいものにできるので、ＨＤＤ１５の保護機能を強化できる。
【００４８】
（第２変形例）
図４は、第１実施形態のＨＤＤ保護フローの第２変形例を示すフローチャートである。なお、図４においては、図２に示す第１実施形態のフローチャートと異なる部分を中心としてフローが示されており、全フローチャートが示されている訳ではない。第２変形例では、ＨＤＤ１５の起動処理が一旦保留された後にＨＤＤ１５が起動処理された場合に、しばらくの間、スマート値の非常監視が行われる点が、図２に示す第１実施形態の構成と異なる。以下、この異なる部分を中心に説明する。
【００４９】
図４に示すように、第２変形例においても、ステップＳ６でＨＤＤ１５の起動が不適切であると判断される場合（ステップＳ６でＮｏ）、制御部１０はＨＤＤ１５の起動を保留し（ステップＳ９）、冷却ファン１６の駆動を開始させる（ステップＳ１０）。そして、制御部１０は、冷却ファン１６が駆動を開始してから所定期間が経過したか否かを監視する（ステップＳ１１）。その後、所定期間が経過したと判断すると（ステップＳ１１でＹｅｓ）、制御部１０は、一旦起動を保留していたＨＤＤ１５の起動処理を行う（ステップＳ１２）。
【００５０】
ＨＤＤ１５の起動処理後、第２変形例では、スマート値の非常監視を開始する（ステップＳ１３）。非常監視では、制御部１０は、ＨＤＤ１５から取得した温度（１データ）が、規定値（例えば７０℃等）以上であるか否かを確認する（ステップＳ１４）。そして、取得温度が規定値以上である場合（ステップＳ１４でＹｅｓ）、ステップＳ３に戻って温度異常を検知して、レコーダー１の自動電源オフ処理を行う。
【００５１】
一方、取得温度が規定値以上でない場合（ステップＳ１４でＮｏ）、制御部１０は、スマート値の非常監視を開始してから所定期間が経過したか否かを確認する（ステップＳ１５）。所定期間が経過している場合（ステップＳ１５でＹｅｓ）、ステップＳ８における確認を行い、ＨＤＤ１５の保護処理が継続される場合（ステップＳ８でＮｏ）には、スマート値の通常監視が行われることになる。所定期間が経過していない場合（ステップＳ１５でＮｏ）、ステップＳ１３に戻ってスマート値の非常監視が継続される。
【００５２】
なお、ステップＳ１５における所定期間は、非常監視を行うのが適当と考えられる時間に設定されればよい。この時間が長すぎると、本来異常が発生していないにもかかわらず、レコーダー１の自動電源オフが行われる頻度が高くなる可能性がある。また、この時間が短すぎると、ＨＤＤ１５が好ましくない高温環境下に晒される可能性が高くなる。これらの点等を考慮しながら、ステップＳ１５における所定期間は適宜決定されるのが好ましい。また、ステップＳ８と同様の処理がステップＳ１２とステップＳ１３との間に設けられてもよい。
【００５３】
第２変形例の構成では、一旦起動処理が保留されたＨＤＤ１５が起動した後において、しばらくＨＤＤ１５の温度異常検知がされ易くなり、ＨＤＤ１５の保護機能が強化される。なお、第２変形例の構成は、第１変形例の構成と組み合わされて、第１実施形態の構成（図２に示す）に適用されてもよい。
【００５４】
（第３変形例）
図５は、第１実施形態のＨＤＤ保護フローの第３変形例を示すフローチャートである。なお、図５においては、図２に示す第１実施形態のフローチャートと異なる部分を中心としてフローが示されており、全フローチャートが示されている訳ではない。第３変形例では、ＨＤＤ１５の起動処理が一旦保留されて冷却ファン１６が駆動状態とされた場合に、その旨をユーザーに報知する構成になっている。この点が、図２に示す第１実施形態の構成と異なる。以下、この異なる部分を中心に説明する。
【００５５】
図５に示すように、第３変形例においても、ステップＳ６でＨＤＤ１５の起動が不適切であると判断される場合（ステップＳ６でＮｏ）、制御部１０はＨＤＤ１５の起動を保留し（ステップＳ９）、冷却ファン１６の駆動を開始させる（ステップＳ１０）。第３変形例では、冷却ファン１６の駆動の後に、制御部１０は、ＨＤＤ１５の起動が一旦保留されている旨をユーザーに対して報知するための報知処理を行う（ステップＳａ）。
【００５６】
報知処理は、例えば、表示装置２（図１参照）の表示画面に、「ＨＤＤ温度異常を検知した後の起動の為、ＨＤＤを冷却中です」等の文言をＯＳＤ表示するための処理であってよい。その他、報知処理は、例えば、報知音を鳴らす処理やＨＤＤ１５の起動を保留した旨を音声案内するための処理等であってもよい。報知処理後の動作（ステップＳ１１以降）は、図２に示す第１実施形態の場合と同様である。
【００５７】
第３変形例の構成では、ＨＤＤ１５の起動処理が保留された場合に、ユーザーは、上述の報知処理によって、そのことを知ることができる。このために、レコーダー１が故障した等の誤認をユーザーが行う可能性を低減できる。なお、第３変形例の構成は、第１変形例や第２変形例の構成と適宜組み合わされて、第１実施形態の構成（図２に示す）に適用されてよい。
【００５８】
＜ＨＤＤ保護機能の第２実施形態＞
次に、ＨＤＤ保護機能の第２実施形態について説明する。図６は、本発明の実施形態に係るＨＤＤ内蔵型光ディスクレコーダー１において実行される、第２実施形態のＨＤＤ保護フローを示すフローチャートである。なお、第２実施形態の説明にあたっては、第１実施形態と重複する構成については、特に必要がない限り、その説明を省略する。
【００５９】
ユーザーによって電源スイッチ１８が操作されて電源がオン状態にされると、ＨＤＤ保護のために、制御部１０がスマート値の通常監視を開始し、温度異常の検知を行う構成（ステップＮ１〜Ｎ３）は、第１実施形態の構成と同様である。
【００６０】
制御部１０は、ＨＤＤ１５の温度異常を検知すると、電源部１７を制御して、冷却ファン１６を駆動状態としつつ、オン状態からオフ状態（待機状態）になるように電源オフ処理を行う（ステップＮ４）。なお、第１実施形態では、レコーダー１の電源オフ処理によって、冷却ファン１６も作動を停止される。すなわち、ステップＮ４は、第１実施形態とは異なる処理である。
【００６１】
ステップＮ４で駆動状態とされた冷却ファン１６は、例えば所定期間の経過により、自動的に駆動停止される構成であるのが好ましい。例えば、ＨＤＤ１５の温度異常を検知してから冷却ファン１６を駆動させ、ＨＤＤ１５が十分冷却された状態（温度がほとんど下がらない状態；飽和状態）になるまでの時間を実験的に求め、当該時間を上述の所定期間としてもよい。また、ステップＮ４で駆動状態とされる冷却ファン１６の回転数は、通常動作時に比べて一時的に高速とされても構わない。
【００６２】
レコーダー１の電源が自動オフされた後に、ユーザーが電源スイッチ１８を操作して再びレコーダー１が電源オン状態にされる（ステップＮ５）と、制御部１０は、ＨＤＤ１５の起動が適切であるか否かを判断（温度の観点からの判断）する（ステップＮ６）。例えば、上述した冷却ファン１６の駆動が自動停止される構成が採用される場合には、制御部１０は、当該冷却ファン１６の駆動の有無を確認して、ＨＤＤ１５の起動が適切か否かを判断してよい。この場合、冷却ファン１６が駆動している場合には、ＨＤＤ１５の冷却が不十分であると判断されるために、制御部１０はＨＤＤ１５の起動が不適切であると判断する。また、冷却ファン１６の駆動が停止されている場合には、ＨＤＤ１５の冷却が十分であると判断されるために、制御部１０はＨＤＤ１５の起動が適切であると判断する。
【００６３】
なお、第１実施形態と同様に、ステップＮ６の判断は、予め定められた時間や温度を基準に判断されてもよい。
【００６４】
ＨＤＤ１５の起動が適切であると判断される場合（ステップＮ６でＹｅｓ）、第１実施形態の場合と同様の処理が行われる（ステップＮ７、Ｎ８）。一方、ＨＤＤ１５の起動が不適切であると判断される場合（ステップＮ６でＮｏ）、制御部１０はＨＤＤ１５の起動を一旦保留する（ステップＮ９）。なお、本実施形態では、この時点で冷却ファン１６は駆動中であるために、第１実施形態のように、冷却ファン１６の駆動を開始させる処理は行わない。
【００６５】
ＨＤＤ１５の起動が保留されると、制御部１０は、ＨＤＤ１５の起動を保留しつつ冷却ファン１６が駆動している状態としてから、所定期間が経過したか否かを監視する（ステップＮ１０）。この所定期間は、一定時間とされてもよいが、ステップＮ４における電源自動オフからステップＳ５における電源手動オンまでの時間Ｘを考慮して変動させても構わない。この場合、当該所定期間Ｔは、例えば、以下の式（１）で表されるものであってよい。
Ｔ＝Ａ−Ｘ    （１）
ここで、Ａは、ＨＤＤ１５の温度異常を検知してから冷却ファン１６を駆動させ、ＨＤＤ１５が十分冷却された状態（温度の低下が飽和した状態）になるまでの時間であり、例えば実験的に求められるものである。
【００６６】
ステップＮ１０で、制御部１０によって、所定期間が経過したと判断（ステップＮ１０でＹｅｓ）された後の処理は、第１実施形態の場合と同様である。なお、第１実施形態における第１〜第３変形例の構成、及び、それらの組み合わせは、第２実施形態の構成にも適用できる。
【００６７】
第２実施形態におけるＨＤＤ１５の保護処理によれば、第１実施形態の場合と同様に、ＨＤＤ１５がその温度スペックを超える高温環境下に晒される可能性を低減できる。また、第２実施形態におけるＨＤＤ１５の保護処理では、ＨＤＤ１５の温度異常が検知さてレコーダー１の電源自動オフが実行された時点で、冷却ファン１６が駆動した状態とされる。このために、第１実施形態の場合に比べて、ＨＤＤ１５の冷却を素早く行え、ＨＤＤ保護処理のためにＨＤＤ１５の起動処理が遅れる時間を短くできる。
【００６８】
＜ＨＤＤ保護機能の第３実施形態＞
次に、ＨＤＤ保護機能の第３実施形態について説明する。図７は、本発明の実施形態に係るＨＤＤ内蔵型光ディスクレコーダー１において実行される、第３実施形態のＨＤＤ保護フローを示すフローチャートである。図７に示すステップＡ１〜Ａ５の処理は、図２（第１実施形態）に示すステップＳ５〜Ｓ１１の処理と同様である。このために、フローの詳細説明は省略する。
【００６９】
なお、ステップＡ２の判断は、ＨＤＤ１５の温度の観点からの判断であり、ＨＤＤ１５（その周辺も）が十分に冷却された状態であると推定できる場合に、ＨＤＤ１５の起動処理は適切であると判断され、そうでない場合にはＨＤＤ１５の起動処理は不適切であると判断される。当該判断は、例えば、ステップＡ１における電源オンが、その前の電源オフ（手動或いは自動による電源オフ）からどの程度の時間が経過しているか等を用いて行われてよい。
【００７０】
第１実施形態及び第２実施形態では、ＨＤＤ１５の温度異常検知による電源自動オフ後において、ＨＤＤ１５の起動処理を一旦保留するか否かを判断する構成とした。第３実施形態では、ＨＤＤ１５の温度異常検知による電源自動オフ後であるか否かに関わらず、ユーザーが電源スイッチ１８を操作して電源オン状態にした場合には、常に、ＨＤＤ１５の起動処理を一旦保留するか否かを判断する構成となっている。この点が、第１及び第２実施形態の構成と異なる。このように構成にした場合も、ＨＤＤ１５がその温度スペックを超える高温環境下に晒される可能性を低減できる。
【００７１】
なお、第３実施形態の構成においても、ＨＤＤ１５が起動された後（ステップＡ３後）に、スマート値を監視して温度異常が検知された場合に自動電源オフする構成を追加しても勿論構わない。また、第１実施形態における第１〜第３変形例の構成、及び、それらの組み合わせが、第３実施形態の構成に適用されても構わない。
【００７２】
＜その他＞
以上に示した実施形態は本発明の例示であり、本発明の適用範囲は、以上に示した実施形態の構成に限定されるものではない。本発明の技術思想を超えない範囲で、以上の実施形態は適宜変更されてよいのは勿論である。
【００７３】
例えば、以上の実施形態では、ＨＤＤ１５の温度異常を検知するために、ＨＤＤ１５の内部に設けられる温度センサを利用する構成としたが、この構成に限定される趣旨ではない。すなわち、ＨＤＤ１５の内部に設けられる温度センサに代えて、ＨＤＤ１５の周辺に設けられる温度センサが用いられてもよい。
【００７４】
また、以上においては、本発明がＨＤＤ内蔵型光ディスクレコーダーに適用される場合を示した。しかし、本発明は、これ以外のＨＤＤ内蔵型電子機器に適用可能であり、例えば、ＨＤＤを内蔵するテレビジョン受像機やコンピューター等にも適用できる。
【符号の説明】
【００７５】
１  ＨＤＤ内蔵型光ディスクレコーダー（ＨＤＤ内蔵型電子機器）
１０  制御部
１５  ＨＤＤ
１６  冷却ファン（冷却装置）
１８  電源スイッチ
１９  ＨＤＤ周辺温度検出部
【図１】
2014157448.tif 000003
【図２】
2014157448.tif 000004
【図３】
2014157448.tif 000005
【図４】
2014157448.tif 000006
【図５】
2014157448.tif 000007
【図６】
2014157448.tif 000008
【図７】
2014157448.tif 000009